(57)【特許請求の範囲】
【請求項１】
ディスクの記録または再生を行うディスクドライブ装置において、
前記ディスクが載置されて、装置本体に対し引出位置と収納位置との間に移動可能に設けられたトレイと、
前記トレイの前端面に取り付けられる体裁板と、を有し、
前記トレイの前部には前記装置本体内への塵埃等の侵入を防ぐための壁部が設けられ、前記体裁板を前記トレイに取り付けることにより前記壁部と前記体裁板の間に溝が形成され、前記溝に塵埃等が溜まるようにしたことを特徴とするディスクドライブ装置。
【発明の詳細な説明】
【０００１】
【発明の属する技術分野】
本発明は、トレイにディスクが載置されてローディングされる構造のディスクドライブ装置に関し、特に塵埃等の侵入を防ぐための構造に係るものである。
【０００２】
【従来の技術】
例えばＣＤ，ＣＤ−ＲＯＭ，ＤＶＤ，ＤＶＤ−ＲＯＭ等のディスクドライブ装置においては、装置本体に対し引出位置と収納位置との間を移動可能に設けられたトレイを有し、このトレイにディスクが載置されてローディングされる構造のものが広く実用化されている。
【０００３】
従来のこの種のディスクドライブ装置の例を、図１及び図２を参照して説明する。
図において１はディスクドライブ装置の装置本体を示し、２はその外筺で、この装置本体１の内部にはディスクの記録または再生を行なうためのディスク駆動機構が内蔵されている。このディスク駆動機構は、ディスクを回転駆動するためのスピンドルモーター、ディスクに対し信号を読み書きするための光学ヘッド等を備えて構成される。
【０００４】
装置本体１の体載面である前面には前面パネル３が取り付けられており、この前面パネル３に形成された入出口部４から入出されるようにトレイ５が設けられている。このトレイ５はディスクＤを載置するためのディスク載置凹部６を有し、装置本体１の内部に設けられるトレイ移動機構によって装置本体１に対し引出位置と収納位置との間を直線的に移動動作される。
【０００５】
尚、このトレイ５の移動動作は前面パネル３に設けられたトレイ移動操作ボタン７を押すことによって行なわれ、即ちトレイ５が収納位置にある状態でトレイ移動操作ボタン７を押すとトレイ５は収納位置から引出位置まで移動し、またこの状態で再びトレイ移動操作ボタン７を押すとトレイ５は引出位置から収納位置まで移動されるようになっている。
【０００６】
そしてトレイ５が引出位置にある状態で、ディスクＤをトレイ５のディスク載置凹部６に載置し、その状態からトレイ５が収納位置まで移動されることによってディスクＤは装置本体１内のディスク駆動機構部にローディングされる。
【０００７】
このようにしてディスクＤがローディングされると、ディスク駆動機構部のスピンドルモーターが上昇してこのスピンドルモーターに取り付けられたターンテーブルにディスクＤの中心部がチャッキングされると共に、光学ヘッドがディスクＤの信号記録面に対向して、ディスクＤに対する信号の記録または再生が可能な状態となる。
【０００８】
尚、トレイ５の中央部には、ディスク駆動機構部のターンテーブルや光学ヘッドに対する逃げ部である開口８が形成されている。
【０００９】
またトレイ５の前端面には体裁板９が取り付けられており、トレイ５が収納されたときには図１に示す如くこの体裁板９が入出口部４に収まる状態となることで外観的な体裁が良好に保たれるようになっている。
【００１０】
【発明が解決しようとする課題】
ところで、上記のようなディスクドライブ装置はコンピュータ機器に組み込んで使用されることが多いが、この場合コンピュータ機器の冷却ファン等による空気の流れによって入出口部４から塵埃等が装置本体１内に侵入し易いという問題がある。
【００１１】
そこで従来のディスクドライブ装置をみると、特に塵埃等の侵入を防ぐことのできる構造とはなっていない（トレイ５の体裁板９で入出口部４が塞がるような状態とはなるが、体裁板９はあくまで体裁目的で取り付けられるものであるため、体裁板９と入出口部４の隙間から簡単に塵埃等が侵入してしまう）。
【００１２】
塵埃等が装置本体内に侵入し易いと、ディスクの信号記録面や光学ヘッドの対物レンズに塵埃等が付着して信号の記録または再生にトラブルが生じ易くなり、信頼性が損なわれることになる。
【００１３】
本発明はこのような課題を解決することを目的としてなされたものである。
【００１４】
【課題を解決するための手段】
上記の目的を達成するために本発明は、ディスクの記録または再生を行うディスクドライブ装置において、ディスクが載置されて、装置本体に対し引出位置と収納位置との間に移動可能に設けられたトレイと、このトレイの前端面に取り付けられる体裁板と、を有し、トレイの前部には装置本体内への塵埃等の侵入を防ぐための壁部が設けられ、体裁板をトレイに取り付けることにより壁部と体裁板の間に溝が形成され、この溝に塵埃等が溜まる構造としたものである。これにより、装置本体内への塵埃等の侵入が効果的に防止され、塵埃等を原因とする記録または再生時のトラブルが減少し、信頼性が向上する。
【００１５】
【発明の実施の形態】
以下、図面を参照しながら本発明の実施の形態例について詳細に述べる。
尚、本例においても、図１及び図２に示したディスクドライブ装置を実施例に挙げて説明する。
【００１６】
図１及び図２において１はディスクドライブ装置の装置本体を示し、２はその外筺で、この装置本体１の内部にはディスクの記録または再生を行なうためのディスク駆動機構が内蔵されている。このディスク駆動機構は、ディスクを回転駆動するためのスピンドルモーター、ディスクに対し信号を読み書きするための光学ヘッド等を備えて構成される。
【００１７】
装置本体１の体載面である前面には前面パネル３が取り付けられており、この前面パネル３に形成された入出口部４から入出されるようにトレイ５が設けられている。このトレイ５はディスクＤを載置するためのディスク載置凹部６を有し、装置本体１の内部に設けられるトレイ移動機構によって装置本体１に対し引出位置と収納位置との間を直線的に移動動作される。
【００１８】
尚、このトレイ５の移動動作は前面パネル３に設けられたトレイ移動操作ボタン７を押すことによって行なわれ、即ちトレイ５が収納位置にある状態でトレイ移動操作ボタン７を押すとトレイ５は収納位置から引出位置まで移動し、またこの状態で再びトレイ移動操作ボタン７を押すとトレイ５は引出位置から収納位置まで移動されるようになっている。
【００１９】
そしてトレイ５が引出位置にある状態で、ディスクＤをトレイ５のディスク載置凹部６に載置し、その状態からトレイ５が収納位置まで移動されることによってディスクＤは装置本体１内のディスク駆動機構部にローディングされる。
【００２０】
このようにしてディスクＤがローディングされると、ディスク駆動機構部のスピンドルモーターが上昇してこのスピンドルモーターに取り付けられたターンテーブルにディスクＤの中心部がチャッキングされると共に、光学ヘッドがディスクＤの信号記録面に対向して、ディスクＤに対する信号の記録または再生が可能な状態となる。
【００２１】
尚、トレイ５の中央部には、ディスク駆動機構部のターンテーブルや光学ヘッドに対する逃げ部である開口８が形成されている。
【００２２】
またトレイ５の前端面には体裁板９が取り付けられており、トレイ５が収納されたときには図１に示す如くこの体裁板９が入出口部４に収まる状態となることで外観的な体裁が良好に保たれるようになっている。
【００２３】
この体裁板９は、図３及び図４に示す如く、トレイ５の前端面に嵌め込みによって取り付けられる。
即ち、トレイ５の前端面には係止縁部１０と係止凹部１１が設けられ、これに対応して体裁板９の裏面側には係止爪部１２と係止凸部１３が設けられており、この係止爪部１２と係止凸部１３を夫々係止縁部１０と係止凹部１１に嵌め込んで係止させることによって体裁板９をトレイ５に固定してある。
【００２４】
そして特に本例のディスクドライブ装置においては、図３〜図５に示す如く、トレイ５の上面側の前部に、装置本体１内への塵埃等の侵入を防ぐための壁部１５が設けられている。
【００２５】
この壁部１５は、体裁板９の内側において体裁板９と平行にトレイ５の全幅にわたって延設されており、体裁板９と壁部１５との間には所定幅の溝１６が形成されている。またこの壁部１５は体裁板９より若干低い突出高さに設けられており、これに対応して入出口部４の奥には、壁部１５の上端面と僅かの隙間で対向する凸部１７が段状に突出して設けられている。
【００２６】
そしてトレイ５が収納された状態では、体裁板９と壁部１５とで二重に入出口部４が塞がれる状態となり、この状態で外部から塵埃等が体裁板９を越えて装置本体１内に侵入しようとしても、この塵埃等は壁部１５によってブロックされることになるので、装置本体１内への塵埃等の侵入を効果的に防ぐことができる。
【００２７】
さらに本例装置においては、体裁板９と壁部１５との間に溝１６が形成されていることにより、体裁板９を越えて侵入した塵埃等が図５に示す如くこの溝１６に溜まる状態となり、このため装置本体１内への塵埃等の侵入をより確実に防ぐことができる。つまりこの構造は、塵埃等を積極的に溝１６に呼び込んで溜めることにより、その分だけ装置本体１内に侵入しようとする塵埃等を減らそうとするものであり、これによって塵埃等の侵入防止効果が一段と向上されることになる。
【００２８】
そしてこのように装置本体１内への塵埃等の侵入が効果的に防止されることにより、塵埃等を原因とする記録または再生時のトラブルが減少し、安定した記録または再生動作が行なわれる。
【００２９】
尚、以上の実施例では、トレイ５の上面側にのみ壁部１５を設けてあるが、トレイ５の下面側にも同様の壁部を設けることにより、塵埃等の侵入防止効果をさらに向上させることができる。
【００３０】
【発明の効果】
以上に説明した如く本発明のディスクドライブ装置は、トレイの前部に装置本体内への塵埃等の侵入を防ぐための壁部が設けられるとともに、体裁板をトレイに取り付けることにより壁部と体裁板の間に溝が形成され、この溝に塵埃等が溜まる構造としたことにより、装置本体内への塵埃等の侵入を効果的に防止することができるので、塵埃等を原因とする記録または再生時のトラブルが減少し、信頼性の高いディスクドライブ装置を提供することができる。
【図面の簡単な説明】
【図１】ディスクドライブ装置の斜視図で、トレイが収納された状態である。
【図２】同、トレイが引出された状態である。
【図３】本発明の実施形態を示すトレイの要部の分解斜視図である。
【図４】同、ディスクドライブ装置の要部の縦断側面図である。
【図５】同、トレイの要部の側面図である。
【符号の説明】
１‥‥装置本体、４‥‥入出口部、５‥‥トレイ、６‥‥ディスク載置凹部、９‥‥体裁板、Ｄ‥‥ディスク、
【図１】
0003692674.tif 000002
【図２】
0003692674.tif 000003
【図３】
0003692674.tif 000004
【図４】
0003692674.tif 000005
【図５】
0003692674.tif 000006